(57)【要約】【課題】積載される様々な長さのシートに対応できるようにして、積載されたシートの整合性能と整合能率を向上させる。【解決手段】シート積載装置１６０は、排出されるシートが積載される積載トレイ１０１と、積載トレイに進入した状態の第１の位置と、積載トレイからシートの排出方向に突出する第２の位置との間を起倒回動可能なフレーム１６３と、フレームにシートの排出方向に移動可能に設けられて、フレームが第１の位置にいるとき積載トレイに積載されるシートの下流端を受け止める起倒可能なストッパ１５４と、積載トレイにシートの排出方向に移動可能に設けられて、フレームが第２の位置にいるとき積載トレイに積載されるシートの下流端を受け止める起倒可能なストッパ１５６と、を備えている。【選択図】      図２
2004256288.tif 000002
【特許請求の範囲】
【請求項１】
排出されるシートが積載されるシート積載手段と、
前記シート積載手段に進入した状態の第１の位置と、前記シート積載手段から前記シートの排出方向に突出する第２の位置との間を起倒回動可能な延長積載手段と、
前記延長積載手段に前記シートの排出方向に移動可能に設けられて、前記延長積載手段が前記第１の位置にいるとき前記シート積載手段に積載される前記シートの下流端を受け止める起倒可能な第１ストッパ部材と、
前記延長積載手段に前記シートの排出方向に移動可能に設けられて、前記延長積載手段が前記第２の位置にいるとき前記シート積載手段に積載される前記シートの下流端を受け止める起倒可能な第２ストッパ部材と、
を備えたことを特徴とするシート積載装置。
【請求項２】
前記第１ストッパ部材の移動を案内する第１案内路と、前記第２ストッパ部材の移動を案内する第２案内路とを前記延長積載手段に備え、
前記延長積載手段が前記第１の位置にいるとき、前記第１案内路が前記第２案内路の上位に位置することを特徴とする請求項１に記載のシート積載装置。
【請求項３】
前記第１ストッパ部材と前記第２ストッパ部材との移動を共通に案内する共通案内路を前記延長積載手段に備えたことを特徴とする請求項１に記載のシート積載装置。
【請求項４】
前記第１ストッパ部材と前記第２ストッパ部材は、前記延長積載手段が第１の位置と第２の位置との少なくとも一方の位置にいる状態において、同一方向に起立可能であることを特徴とする請求項１乃至３のいずれか１項に記載のシート積載装置。
【請求項５】
前記第１ストッパ部材は、前記延長積載手段が第１の位置にいるとき、前記延長積載手段のシート排出方向の下流端よりさらに下流側に移動可能に、前記延長積載手段に移動自在に設けられた移動部材に支持されていることを特徴とする請求項１乃至４のいずれか１項に記載のシート積載装置。
【請求項６】
前記第１ストッパ部材が前記延長積載手段から抜け出るのを防止する抜け止め手段を前記延長積載手段に備えたことを特徴とする請求項１乃至５のいずれか１項に記載のシート積載装置。
【請求項７】
排出されるシートが積載されるシート積載手段と、
前記シート積載手段に進入した状態の第１の位置と、前記シート積載手段から前記シートの排出方向に突出する第２の位置との間を起倒回動可能な延長積載手段と、
前記延長積載手段に前記シートの排出方向に移動可能に設けられて、前記延長積載手段が前記第１の位置と前記第２の位置とのいずれの位置にいるときでも、前記シート積載手段に積載される前記シートの下流端を受け止めることができるように起倒可能なストッパ部材と、
を備えたことを特徴とするシート積載装置。
【請求項８】
前記ストッパ部材が前記延長積載手段から抜け出るのを防止する抜け止め手段を前記延長積載手段に備えたことを特徴とする請求項７に記載のシート積載装置。
【請求項９】
シートを取り扱うシート取り扱い手段と、
前記シート取り扱い手段によって取り扱われた前記シートが積載されるシート積載装置と、を備え、
前記シート積載装置は、請求項１乃至８のいずれか１項に記載のシート積載装置であることを特徴とするシート取り扱い装置。
【発明の詳細な説明】
【０００１】
【発明の属する技術分野】
本発明は、排出されて積載されるシートの長さに応じて、延長可能な延長積載手段を備えたシート積載装置と、このシート積載装置を装置本体に備えて、シートを取り扱った後、シート積載装置に排出するシート取り扱い装置とに関する。
【０００２】
【従来の技術】
図１３、図１４は、従来のシート取り扱い装置の一例である画像読取装置５３０の外観斜視図である。
【０００３】
図１３は、従来のシート積載装置が組み込まれた画像読取装置の外観斜視図である。図１４は、図１３に示す画像読取装置において、回転トレイユニットを積載トレイから延長した状態の外観斜視図である。
【０００４】
画像読取装置は、例えば、原稿を読み取るようになっている。シート取り扱い装置には、画像読取装置の他に、シートに画像を形成する画像形成装置、シートに孔あけ処理、綴じ処理、折り処理等の少なくとも１つの処理を行うシート処理装置等がある。
【０００５】
画像読取装置５３０は、下部に、原稿が積載される給紙トレイ５３２を有している。オペレータは、この給紙トレイ５３２上にシート状の原稿（以下、「シート」という）を置く。そして、オペレータによって不図示の記録スタートキーが押されると、給紙トレイ５３２上のシートは、不図示の給紙ローラ、分離ローラ対等によって、１枚ずつに分離されて装置内に順次に給送される。
【０００６】
そして、シートは、搬送ローラ対、ガイド部材等で構成されるシート搬送路を所定の速度で搬送される。シートは、装置内を搬送される過程において、不図示の読取部により画像情報が読み取られる。その読み取った画像情報は、記録部に記録される。記録部は、縮小投影光学系や光電変換読取系等であり、搬送されたシートの画像情報を光磁気ディスク等の電気的記録媒体に記録するようになっている。記録部を通過した読取済みシートは、不図示の搬送ローラ対を通過して画像読取装置５３０の排紙口５３１から積載トレイ５０１に順次排出される。
【０００７】
ガイド５２４，５２５は、排紙口５３１から排出されるシートの搬送方向と直交する方向の整列性を良くするために設けてある。ガイド５２４，５２５は、不図示のラックやギア等により一方が上記直交する方向に移動すると、連動して他方が移動して、シートの搬送方向に沿ったシートの縁を揃えるようになっている。すなわち、ガイド５２４，５２５は、シートの幅を揃えるようになっている。
【０００８】
画像読取装置５３０は、図１３に示すように、延長トレイ５２２が積載トレイ５０１に収納された状態（進入した状態）において、画像読取装置５３０の排紙口５３１から読取処理後、順次排出される小切手や手形等の小形シートを、着脱式スタッカ５５０で受け止めるようになっていた。
【０００９】
また、画像読取装置５３０は、図１４に示すように、オペレータが延長トレイユニット５２２を、支軸５０２，５０３を中心にして矢印方向へ回動させた状態において、排出口５３１から順次排出されるＡ３等の長尺なシートの搬送方向におけるシートの先端を、延長トレイユニット５２２に設けた起立状態のシート規制部材（以下、「ストッパ」という）５５１で受け止めるようになっていた。
【００１０】
【発明が解決しようとする課題】
しかし、従来の画像読取装置５３０は、積載トレイ５０１に小サイズシート等が積載収容されるとき、図１３に示す着脱式のスタッカ５５０を用意する必要があるので、装置全体としてのコストアップになっていた。また、Ａ３等の長尺なシートが積載される場合には、着脱式スタッカ５５０が不必要になり、スタッカ５５０の保管場所が必要であった。さらに、取り外したスタッカ５５０を紛失しやすかった。
【００１１】
また、従来の画像読取装置５３０は、図１４に示すように、延長トレイユニット５２２を延長された状態で、Ａ３サイズ以下のシート（例えば、Ａ４サイズ縦送りシート）が延長トレイユニット５２２と積載トレイ５０１とに積載される場合、排出されるシートの先端とオペレータが起こしたストッパ５５１までの距離が長いため、搬送速度の違いやシート同士の摩擦抵抗等により、順次積載されるシートの前後端の整合性が悪く、オペレータがシートを揃え直す必要があった。
【００１２】
本発明は、延長積載手段がシート積載手段に対して収納された状態と延長された状態とのいずれかを選択して、積載される様々な長さのシートに対応できるようにし、かつ積載されたシートの整合性能と整合能率を向上させたシート積載装置を提供することを目的としている。
【００１３】
また、本発明は、上記シート積載装置を備えてオペレータの操作性を向上させたシート取り扱い装置を提供することを目的としている。
【００１４】
【課題を解決するための手段】
上記目的を達成するため、本発明のシート積載装置は、排出されるシートが積載されるシート積載手段と、前記シート積載手段に進入した状態の第１の位置と、前記シート積載手段から前記シートの排出方向に突出する第２の位置との間を起倒回動可能な延長積載手段と、前記延長積載手段に前記シートの排出方向に移動可能に設けられて、前記延長積載手段が前記第１の位置にいるとき前記シート積載手段に積載される前記シートの下流端を受け止める起倒可能な第１ストッパ部材と、前記延長積載手段に前記シートの排出方向に移動可能に設けられて、前記延長積載手段が前記第２の位置にいるとき前記シート積載手段に積載される前記シートの下流端を受け止める起倒可能な第２ストッパ部材と、を備えている。
【００１５】
本発明のシート積載装置は、前記第１ストッパ部材の移動を案内する第１案内路と、前記第２ストッパ部材の移動を案内する第２案内路とを前記延長積載手段に備え、前記延長積載手段が前記第１の位置にいるとき、前記第１案内路が前記第２案内路の上位に位置するようになっている。
【００１６】
本発明のシート積載装置は、前記第１ストッパ部材と前記第２ストッパ部材との移動を共通に案内する共通案内路を前記延長積載手段に備えている。
【００１７】
本発明のシート積載装置における、前記第１ストッパ部材と前記第２ストッパ部材は、前記延長積載手段が第１の位置と第２の位置との少なくとも一方の位置にいる状態において、同一方向に起立可能になっている。
【００１８】
本発明のシート積載装置における、前記第１ストッパ部材は、前記延長積載手段が第１の位置にいるとき、前記延長積載手段のシート排出方向の下流端よりさらに下流側に移動可能に、前記延長積載手段に移動自在に設けられた移動部材に支持されている。
【００１９】
本発明のシート積載装置は、前記第１ストッパ部材が前記延長積載手段から抜け出るのを防止する抜け止め手段を前記延長積載手段に備えている。
【００２０】
上記目的を達成するため、本発明のシート積載装置は、排出されるシートが積載されるシート積載手段と、前記シート積載手段に進入した状態の第１の位置と、前記シート積載手段から前記シートの排出方向に突出する第２の位置との間を起倒回動可能な延長積載手段と、前記延長積載手段に前記シートの排出方向に移動可能に設けられて、前記延長積載手段が前記第１の位置と前記第２の位置とのいずれの位置にいるときでも、前記シート積載手段に積載される前記シートの下流端を受け止めることができるように起倒可能なストッパ部材と、を備えている。
【００２１】
本発明のシート積載装置は、前記ストッパ部材が前記延長積載手段から抜け出るのを防止する抜け止め手段を前記延長積載手段に備えている。
【００２２】
上記目的を達成するため、本発明のシート取り扱い装置は、シートを取り扱うシート取り扱い手段と、前記シート取り扱い手段によって取り扱われた前記シートが積載されるシート積載装置と、を備え、前記シート積載装置は、上記いずれか１つのシート積載装置である。
【００２３】
【発明の実施の形態】
以下、本発明の実施形態のシート積載装置と、このシート積載装置を装置本体に備えたシート取り扱い装置とを図面に基づいて説明する。
【００２４】
なお、シート取り扱い装置は、シートを取り扱う装置である。シート取り扱い装置には、シートに形成した画像を読み取る画像読取装置、シートに画像を形成（記録）する画像形成装置、シートに形成してある画像を読み取り、その画像を他のシートに複写（記録）する画像読取記録装置、シートに孔あけ処理、綴じ処理、折り処理等の少なくとも１つの処理をするシート処理装置等がある。
【００２５】
本実施形態のシート積載装置は、画像読取装置の装置本体に組み込まれているが、他のシート取り扱い装置にも組み込まれるようになっているので、画像読取装置のみに組み込まれるものではない。
【００２６】
なお、本実施形態に記載されている構成部品の寸法、材質、形状それらの相対配置などは、本発明が適用される装置の構成や各種条件により適宜変更されるべきものであり、この発明の範囲を以下の実施形態に限定する趣旨のものではない。
【００２７】
（第１実施形態のシート積載装置を備えた画像読取装置）
図１は、第１実施形態のシート積載装置を組み込まれたシート取り扱い装置の一例である画像読取装置の縦断面図である。
【００２８】
画像読取装置１３０は、手形、小切手、株券、原稿等（以下、総称して「シート」と言う）Ｐをオペレータによって積載セットされる給紙トレイ３２を備えている。
【００２９】
不図示の記録スタートキーが押されると、給紙トレイ３２上のシート状の原稿Ｐは、給紙ローラ２と分離搬送ローラ対３とによって、１枚ずつ分離されて装置本体１８内に順次に給送されて、搬送ローラ対４，５，６，７，８による搬送と、ガイド部材で構成される装置本体１８内のシート搬送路による案内とによって所定の速度で搬送される。
【００３０】
そして、シートＰが搬送ローラ対５，６の間を搬送される途中でシート取り扱い手段である例えば読取部１６が、シートの画像を読み取る。その読み取った画像情報は、記録部９に記録（記憶）される。記録部９は、縮小投影光学系や光電変換読取系等であり、搬送されたシートＰの画像情報の光磁気ディスク等の電気的記録媒体に記録するようになっている。なお、分離搬送ローラ対３の搬送ローラ３ａは、シートを搬送する方向に回転するようになっており、分離ローラ３ｂは搬送ローラ３ａに追従回転するようになっている。しかし、分離ローラ３ｂは、シートが重なって送られてくると、逆回転して重なったシートを給紙トレイ３２側に押し戻し、搬送ローラ３ａがシートを１枚だけ搬送するようにしている。
【００３１】
画像読取装置１３０において、シート搬送路の記録部９よりもシート搬送方向上流側に配設した搬送ローラ対４，５間にはシート検知センサ１１を配設してある。このシート検知センサ１１の搬送シート先端検知信号は画像読取装置１３０の装置本体１８内の制御回路１２に入力される。制御回路１２は、この入力信号に基づいて、装置本体１８内の記録部９の記録開始タイミング等を制御する。読取部１６を通過した読取済みシートは、搬送ローラ対６，７，８を通過して、排紙口３１から積載トレイ１０１上に順次排出されて、積載される。
【００３２】
積載トレイ１０１に排出されたシートは、ガイド２４，２５（図２参照）及びシート積載装置１６０とによって整合される。この整合動作は、後述する。
【００３３】
（第１実施形態のシート積載装置）
図２は、第１実施形態のシート積載装置を組み込まれたシート取り扱い装置の一例である画像読取装置の外観斜視図である。図３は、第１実施形態のシート積載装置の取り扱い説明用の図である。図３（ａ）は、シート積載装置の回転トレイユニットを積載トレイに収納した状態の図である。図３（ｂ）は、シート積載装置の回転トレイユニットを積載トレイから延長させた状態の図である。
【００３４】
第１実施形態のシート積載装置１６０は、シート積載手段である例えば積載トレイ１０１と、回転トレイユニット１２２の延長積載手段である例えばフレーム１６３と、第１ストッパ部材である例えばストッパ１５４、第２ストッパ部材である例えばストッパ１５６とを備えている。
【００３５】
回転トレイユニット１２２は、フレーム１６３と、先端規制ユニット１５２，１５３等を備えている。フレーム１６３は、図２に示す支軸１０２，１０３によって積載トレイ１０１に、図３（ｂ）に示す矢印Ｃ方向に起倒回転自在に設けてある。支軸１０２，１０３は、積載トレイ１０１に突設してある。図２に示すように、回転トレイユニット１２２が積載トレイ１０１の開口部１０１ａに進入して開口部１０１ａを塞いでいるとき、フレーム１６３のシート積載面１６３ａと積載トレイ１０１のシート積載面１０１ｂとは、シートを積載しやすくするため、同一面になっている。フレーム１６３は、図３（ｂ）に示す矢印Ｃ方向に回転させると、表裏反転する。そして、今まで、下側になっていたシート積載面１６３ｂが上側になり、積載トレイ１０１のシート積載面１０１ｂと同一面になる。
【００３６】
フレーム１６３には、上下に重なることのできる先端規制ユニット１５２，１５３をシート搬送方向に沿って移動自在に設けてある。
【００３７】
先端規制ユニット１５２は、移動部材である例えばスライド部材１５５と、このスライド部材１５５に起倒自在に軸支されたストッパ１５４とを備えている。先端規制ユニット１５２は、スライド部材１５５に突設したスライド突部１２３ａと、フレーム１６３に形勢した第１案内路である例えばガイド溝１６１との案内によって、シート搬送方向に沿った矢印Ｅ方向に移動できるようになっている。
【００３８】
ストッパ１５４は、図２、図３（ａ）に示すように、フレーム１６３が積載トレイ１０１を塞いだ状態で、スライド部材１５５に対して、矢印Ｆで示すように約９０度起倒できるようになっている。ストッパ１５４は、フレーム１６３の開口部１６３ｃからフレーム１６３より上方に突出するようになっている。また、ストッパ１５４は、図３（ａ）に示すように、フレーム１６３の終端開口部１６３ｄからシート搬送方向の下流側に突出するようになっている。
【００３９】
先端規制ユニット１５３は、スライド部材１５７と、このスライド部材１５７に起倒自在に軸支されたストッパ１５６とを備えている。先端規制ユニット１５３は、スライド部材１５７に突設したスライド突部１２３ｂと、フレーム１６３に形勢した第２案内路である例えばガイド溝１６２との案内によって、シート搬送方向に沿った矢印Ｅ方向に移動できるようになっている。
【００４０】
ストッパ１５６は、図２、図３（ｂ）に示すように、フレーム１６３が矢印Ｃ方向に回転させられて実線の位置にいるとき、スライド部材１５７に対して、矢印Ｇで示すように約９０度起倒できるようになっている。ストッパ１５６は、フレーム１６３の不図示の開口部（開口部１６３ｃと同様に形成してある）からフレーム１６３より上方に突出するようになっている。
【００４１】
図２、図３（ａ）に示すように、回転トレイユニット１２２が積載トレイ１０１の開口部１０１ａを塞いでいるときには、符号１５２で示す先端規制ユニットがフレーム１６３の開口部１６３ｃによって露出されるので、ストッパ１５４を矢印Ｆ方向に約９０度回動させて起こすことができる。起こしたストッパ１５４は、排紙口３１から排出されるシートの長さに合わせて、矢印Ｅ方向に位置調整することによって、シートの先端を確実に受け止めて、シートの先端を整合することができる。
【００４２】
図３（ｂ）に示すように、回転トレイユニット１２２を、支軸１０２，１０３を中心に矢印Ｃ方向に回動させて、積載トレイ１０１の開口部１０１ａ（図２参照）を開いているときには、符号１５３で示す先端規制ユニットがフレーム１６３の不図示の開口部によって露出されるので、ストッパ１５６を矢印Ｇ方向に約９０度回動させて起こすことができる。起こしたストッパ１５６は、排紙口３１から排出されるシートの長さに合わせて、矢印Ｅ方向に位置調整することによって、シートの先端を確実に受け止めて、シートの先端を整合することができる。
【００４３】
積載トレイ１０１に排出されたシートは、ガイド２４，２５によって幅を整合される。ガイド２４，２５によるシートの整合と、ストッパ１５４，１５６によるシートの整合との関係は、後述する。
【００４４】
また、先端規制ユニット１５２，１５３をスライドさせたときの位置決め機構は、後述する第２実施形態のシート積載装置２６０における、突起２１７と停止溝２１９と開口部２２０と同様な機構になっている。すなわち、位置決め機構は、先端規制ユニット１５２，１５３のスライド部材１５５，１５７に突起と開口部を形成し、ガイド溝１６１，１６２に停止溝を形成した構成になっている。
【００４５】
さらに、ストッパ１５４，１５６の起立状態を保持する機構も、後述する第２実施形態のシート積載装置２６０における、回転軸２１３ａ，２１３ｂ，２１４ａ，２１４ｂに形成した平面部２１３ｃ，２１４ｃと、この平面部２１３ｃ，２１４ｃを挟持する平面部２１５ｃ，２１５ｃと同様な機構になっている。
【００４６】
以上のように、本実施形態のシート積載装置１６０は、回転トレイユニット１２２で積載トレイ１０１の開口部１０１ａを塞いたときと開いたときの双方において、先端規制ユニット１５２，１５３からストッパ１５４，１５６を起倒回転させることができるようになっているので、ストッパ１５４，１５６が、フレーム１６３に組み込まれて紛失されるようなことがない。
【００４７】
このため、本実施形態のシート積載装置１６０は、従来必要とした着脱式スタッカの保管場所の確保や、紛失等の不具合が発生しないので、オペレータの操作性を向上させることができる。
【００４８】
また、図３（ａ）、図３（ｂ）に示すように、ストッパ１５４，１５６は、実線と破線との間を移動させてシートの長さに応じて位置を調節することができるようになっている。このため、シート積載装置１６０は、シート積載トレイ１０１に積載される様々な長さのシートに対応可能であり、かつ積載されたシートの整合性を高めることができる。
【００４９】
さらに、本実施形態のシート積載装置１６０は、従来と異なって、積載トレイ１０１に積載されたシートを積載トレイ１０１から取り出して揃え直す必要がなく、整合能率を高めることができる。
【００５０】
また、例えば、一般的に使用頻度の高いＡ４縦サイズシート等を読取る際に、回転トレイユニットが閉じられた状態でも積載可能な延長トレイを提供することができる。
【００５１】
なお、本実施形態のシート積載装置１６０は、第３実施形態のシート積載装置３６０と同様に、ストッパ１５４，１５６をフレーム１６３の両面に突出できるようにすると、さらに、小サイズのシートまで整合することができるようになる。
【００５２】
（第２実施形態のシート積載装置）
図４は、第２実施形態のシート積載装置を組み込まれたシート取り扱い装置の一例である画像読取装置の外観斜視図である。図５は、図４のシート積載装置における回転トレイユニットを積載トレイから延長させた状態の図である。図６は、図４の回転トレイユニットの分解斜視図である。図７は、回転トレイユニットのストッパとスライダとの分解斜視図である。図８は、図７に示す回転トレイユニットのストッパとスライダとを組み立てた斜視図である。
【００５３】
第２実施形態のシート積載装置２６０も、図１に示す画像読取装置の装置本体に第１実施形態のシート積載装置１６０の代わりに組み込むことができるようになっている。
【００５４】
上記第１実施形態のシート積載装置１６０は、ストッパ１５４，１５６を別々のスライド部材１５５，１５７に設けて、そのスライド部材１５５，１５７を別々のガイド溝１６１，１６２に案内させる構造になっているが、第２実施形態のシート積載装置２６０は、ストッパ２１３，２１４を回転トレイユニット２２２のフレーム２６３に形成した１つの案内路２７１に案内させた構造になっている。
【００５５】
画像読取装置２３０に組み込まれた第２実施形態のシート積載装置２６０は、シート積載手段である例えば積載トレイ２０１と、回転トレイユニット２２２の延長積載手段である例えばフレーム２６３と、第１ストッパ部材である例えばストッパ２１３、第２ストッパ部材である例えばストッパ２１４とを備えている。
【００５６】
図６に示すように、先端規制ユニット２１２は、上部回転トレイ２１０と下部回転トレイ２１１との間に、スナップフィット２０８，２０９の係合と、ビス２１８の締め付けとによって挟持されている。
【００５７】
また、回転トレイユニット２２２のフレーム２６３を構成する上部回転トレイ２１０と下部回転トレイ２１１は、積載トレイ２０１の両側面に突出した支軸２０２，２０３を挟持する係合部２０４，２０５，２０６，２０７を備えている。
【００５８】
このため、上部回転トレイ２１０と下部回転トレイ２１１は、スナップフィット２０８，２０９の係合と、ビス２１８の締め付けとによって、係合部２０４，２０５，２０６，２０７が支軸２０２，２０３を挟持していることになる。すなわち、フレーム２６３は、積載トレイ２０１に対して起倒回転自在に設けてあることになる。
【００５９】
したがって、上部回転トレイ２１０と下部回転トレイ２１１とで構成されたフレーム２６３は、図４に示すように、上部回転トレイ２１０を上にして積載トレイ２０１の開口部２０１ａを塞いでいる状態から、支軸２０２，２０３を中心にして、図５に示すように、矢印Ｃ方向に約１８０度回転させると、下部回転トレイ２１１が上になり、積載トレイ２０１の開口部２０１ａを開いて、積載トレイ２０１をシート搬送方向の下流側に延長したような状態になる。なお、トレイ凸部２２６とスライド凸部２２３は、後述するのでここでの説明は省略する。
【００６０】
先端規制ユニット２１２は、図７、図８に示すように、ストッパ２１３，２１４と移動部材である例えばスライダ２１５，２１６とで構成されている。先端規制ユニット２１２は、同一形状のストッパ２１３，２１４が互い違いになるように、ストッパ２１３，２１４の回転軸２１３ａ，２１３ｂ，２１４ａ，２１４ｂを、スライダ２１５，２１６の回転孔２１５ａ，２１５ｂ，２１６ａ，２１６ｂに挿入して、ストッパ２１３，２１４とスライダ２１５，２１６とを一体化して、形成されている。
【００６１】
スライダ２１５，２１６の上下の面に形成した突起２１７（スライダ２１６の突起２１７は図示省略）は、先端規制ユニット２１２を、フレーム２６３である上部回転トレイ２１０と下部回転トレイ２１１との間の案内路２７１（図４、図５参照）にそってスライドさせたとき、図６に示す上部回転トレイ２１０と下部回転トレイ２１１とに複数設けられた停止溝２１９に選択的に係合して、先端規制ユニット２１２を位置決めするようになっている。
【００６２】
なお、先端規制ユニット２１２は、ストッパ２１３，２１４を備えて、１つの案内路２７１を移動するようになっているので、案内路２７１は、ストッパ２１３，２１４の共通の案内路になっている。したがって、案内路２７１は、共通案内路の一例である。
【００６３】
また、スライダ２１５，２１６には、開口部２２０を形成してある。この開口部２２０は、突起２１７の近傍部分がシート積載面に対して垂直な方向に撓むことができるようにするため形成してある。先端規制ユニット２１２をシート搬送方向にスライドさせると、開口部２２０によって、突起２１７の近傍部分が撓んで、突起２１７と停止溝２１９との係合が解かれて、先端規制ユニット２１２を自由にスライドさせることができる。
【００６４】
図７に示すストッパ２１３，２１４の回転軸２１３ａ，２１３ｂ，２１４ａ，２１４ｂには、平面部２１３ｃ，２１４ｃが４箇所形成してある。平面部２１３ｃ，２１４ｃが形成された部分の断面形状は、正方形の角を円弧にしたような形状に形成されている。平面部は、４箇所である必要はない。複数形成されていればよい。好ましくは、偶数形成されていればよい。
【００６５】
この回転軸の４つの平面部２１３ｃ，２１３ｃ，２１３ｄ，２１３ｄ，２１４ｃ，２１４ｃ，２１４ｄ，２１４ｄ（一部の符号は図に示していない）同士の距離Ｌと、スライダ２１５，２１６の平面部（本実施例では２ヶ所）２１５ｃ，２１５ｃ，２１６ｃ，２１６ｃ（一部の符号は図に示していない）同士の距離Ｌ１は、ほぼ同一距離である。回転軸２１３ａ，２１３ｂ，２１４ａ，２１４ｂの軸径Ｄは、前述の距離Ｌ，Ｌ１よりも大きい。すなわち、（Ｄ＞Ｌ，Ｌ１）の関係にある。
【００６６】
スライダ２１５，２１６の平面部２１５ｃ，２１６ｃの両脇には、スリット２２１，２２７を形成してある。これにより、ストッパ２１３を図８に示す矢印方向に回動させると、ストッパ２１３の軸径Ｄが平面部２１５ｃ，２１５ｃ，２１６ｃ，２１６ｃ同士の距離Ｌ１より大きいので、スライダ２１５の両平面部２１５ｃ，２１６ｃが撓む。さらに、ストッパ２１３を回動させると、図７に示すように、次の平面部２１３ｄが現れる。このとき、平面部２１３ｄと平面部２１５ｃとの面が一致する。前述したように、平面部２１３ｃ，２１３ｄが形成された部分の軸断面は、略正方形に形成してあるので、ストッパ２１３は、フレーム２６３のシート積載面２６３ａに対して約９０度、起立した状態に保持される。
【００６７】
以上の構成において、図４に示すように、回転トレイユニット２２２が積載トレイ２０１の開口部２０１ａを塞いでいるときには、積載トレイ２０１のシート積載面２０１ｂと、フレーム２６３のシート積載面２６３ａとが同一面になっている。
【００６８】
また、符号２１３で示すストッパがフレーム２６３の開口部２６３ｃによって露出されるので、ストッパ２１３を矢印Ｆ方向に約９０度回動させて起こすことができる。起こしたストッパ２１３は、排紙口３１から排出されるシートの長さに合わせて、先端規制ユニット２１２を矢印Ｅ方向に位置調整することによって、シートの先端を確実に受け止めて、シートの先端を整合することができる。この場合、ストッパ２１３は、図４に示すように、フレーム２６３の終端開口部２６３ｄからシート搬送方向の下流側に突出して、従来よりも長いシートの先端を整合することができる。
【００６９】
図５に示すように、回転トレイユニット２２２を、支軸２０２，２０３を中心に矢印Ｃ方向に回動させて、積載トレイ２０１の開口部２０１ａを開いているときには、積載トレイ２０１のシート積載面２０１ｂとフレーム２６３のシート積載面２６３ｂとが同一面になっている。
【００７０】
また、符号２１４で示すストッパがフレーム２６３の開口部２６３ｅによって露出されるので、ストッパ２１４を矢印方向に約９０度回転させて起こすことができる。起こした状態のストッパ２１４は、排紙口３１から排出されるシートの長さに合わせて、先端規制ユニット２１２を矢印Ｅ方向に位置調整することによって、シートの先端を確実に受け止めて、シートの先端を整合することができる。
【００７１】
積載トレイ２０１に排出されたシートは、ガイド２４，２５によって幅を整合される。ガイド２４，２５によるシートの整合と、ストッパ２１３，２１４によるシートの整合との関係は、後述する。
【００７２】
以上のように、本実施形態のシート積載装置２６０は、回転トレイユニット２２２で積載トレイ２０１の開口部２０１ａを塞いだときと開いたときの双方において、回転トレイユニット２２２からストッパ２１３，２１４を起倒回転させることができるようになっているので、ストッパ２１３が、フレーム２６３に組み込まれて紛失されるようなことがない。
【００７３】
また、図５、図４に示すように、ストッパ２１３，２１４は、実線と破線との間を移動させてシートの長さに応じて位置を調節することができるようになっている。
【００７４】
このため、本実施形態のシート積載装置２６０は、従来必要とした着脱式スタッカの保管場所の確保や、紛失等の不具合が発生しないので、オペレータの操作性を向上させることができる。また、シート積載トレイ２０１に積載される様々な長さのシートに対応可能であり、かつ積載されたシートの整合性を高めることができる。
【００７５】
さらに、本実施形態のシート積載装置２６０は、従来と異なって、積載トレイ２０１に積載されたシートを積載トレイ２０１から取り出して揃え直す必要がなく、整合能率を高めることができる。
【００７６】
また、第１実施形態のシート搬送装置１６０における、２つのストッパ１５４，１５６は、それぞれ先端規制ユニット１５２，１５３に支持されて、上下２段になっている第１案内路１６１、第２案内路１６２を移動するようになっているが、第２実施形態のシート搬送装置２６０における、２つのストッパ２１３，２１４は、回転トレイユニット２２２のフレーム２６３に形成した１つの案内路２７１を移動するようになっている。このため、第２実施形態のシート搬送装置２６０は、第１実施形態のシート搬送装置１６０よりも案内路の数が少なくなっており、構成が簡単、かつ厚みを薄くすることができるようになっている。
【００７７】
（第３実施形態のシート積載装置）
図９は、第３実施形態のシート積載装置の取り扱い説明用の図である。図９（ａ）は、ストッパ３１３を起こした状態の図である。図９（ｂ）は、ストッパ３１３と同時にストッパ３１４を起こした状態の図である。
【００７８】
第３実施形態のシート積載装置３６０も、図１に示す画像読取装置に第１実施形態のシート積載装置１６０の代わりに組み込むことができるようになっている。
【００７９】
第３実施形態のシート積載装置３６０は、ストッパ３１３，３１４がそれぞれ、回転トレイユニット３２２の両側に起倒することができるようにして、第２実施形態のシート積載装置２６０が整合できる最も長さの短いシートよりも、さらに、短いシートの先端を整合することができるようにしてある。
【００８０】
第３実施形態のシート積載装置３６０は、シート積載手段である例えば積載トレイ３０１と、回転トレイユニット３２２の延長積載手段である例えばフレーム３６３と、第１ストッパ部材である例えばストッパ３１３、第２ストッパ部材である例えばストッパ３１４とを備えている。
【００８１】
先端規制ユニット３１２は、スライド部材３５５と、このスライド部材３５５に起倒自在に設けたストッパ３１３，３１４とで形成されている。
【００８２】
図９（ａ）に示すように、回転トレイユニット３２２が積載トレイ３０１の不図示の開口部を塞いでいるとき、積載トレイ３０１のシート積載面３０１ａと、回転トレイユニット３２２のシート積載面３２２ａは、シートを積載しやすくするため、同一面になっている。この場合において、両方のストッパ３１３，３１４を上向きに起立させることができる。
【００８３】
また、回転トレイユニット３２２を、図９（ａ）に示す状態から支軸３０２，３０３を中心にして、図の左方向に起こして、約１８０度回転させ、回転トレイユニット３２２によって、積載トレイ３０１を延長したような状態にしたとき、積載トレイ３０１のシート積載面３０１ａと、回転トレイユニット３２２のシート積載面３２２ｂは、シートを積載しやすくするため、同一面になる。この状態においても、両方のストッパ３１３，３１４を上向きに起立させることができる。
【００８４】
先端規制ユニット３１２は、フレーム３６３に形成した案内路３７１に案内されて、矢印Ｅ方向に移動できるようになっている。先端規制ユニット３１２は、ストッパ３１３，３１４を備えているので、案内路３７１は、ストッパ３１３，３１４の共通の案内路になっている。したがって、案内路３７１は、共通案内路の一例である。
【００８５】
図９（ａ）に示すように、回転トレイユニット３２２で積載トレイ３０１の不図示の開口部を塞いだ状態で、ストッパ３１３を起立させると、本実施形態ではＡ５横サイズシートが整列良く積載される位置に設定されている。しかし、上記Ａ５横サイズシートよりも短いシートＰａ（例えば、アメリカンチェック）が排紙口３１より排出されると、ストッパ３１３まで届かないで、その短いシートＰａは、シート同志の摩擦抵抗等によって、順次積載されるシートの搬送方向の下流側端部と上流側端部（図９において、左端と右端）の整合性が悪くなる。
【００８６】
そこで、図９（ｂ）に図示したようにストッパ３１４を破線の位置から実線の位置に起こすと、上記短いシートＰａの下流側端部と上流側端部を整合することができる。
【００８７】
この様に先端規制ユニット３１２に設けた双方のストッパ３１３，３１４が起倒自在になっているので、ストッパ３１３，３１４の回動軸３１３ａ，３１４ａ同士の間隔Ｌ２を有効に活用出来、アメリカンチェック等のシートの長さに応じる事が可能となる。なお、ストッパ３１３，３１４の図９における左右方向の長さは、上記間隔Ｌ２の長さより短くしておく必要がある。
【００８８】
本実施形態のシート積載装置３６０における先端規制ユニット３１２をスライドさせたときの位置決め機構は、第２実施形態のシート積載装置２６０における、突起２１７と停止溝２１９と開口部２２０と同様な機構になっている。すなわち、位置決め機構は、先端規制ユニット３１２のスライド部材３５５に突起と開口部を形成し、案内路３７１に停止溝を形成した構成になっている。
【００８９】
さらに、ストッパ３１３，３１４の起立状態を保持する機構も、第２実施形態のシート積載装置２６０における、回転軸２１３ａ，２１３ｂ，２１４ａ，２１４ｂに形成した平面部２１３ｃ，２１３ｃ，２１３ｄ，２１３ｄ，２１４ｃ，２１４ｃ，２１４ｄ，２１４ｄと、この平面部を挟持する平面部２１５ｃ，２１５ｃ，２１６ｃ，２１６ｃと同様な機構になっている。
【００９０】
（第１，第２実施形態のシート処理装置の整合動作説明）
図１０は、第１実施形態と第２実施形態のシート積載装置のシート整合動作説明用の図である。図１０（ａ）は、Ａ５横サイズのシートを整合した状態の図である。図１０（ｂ）は、Ａ４横サイズのシートを整合した状態の図である。
【００９１】
図１１は、第１実施形態と第２実施形態のシート積載装置のシート整合動作説明用の図である。図１１（ａ）は、Ａ４縦サイズのシートを整合した状態の図である。図１１（ｂ）は、Ａ３縦サイズのシートを整合した状態の図である。
【００９２】
図６に示した第２実施形態のシート積載装置２６０に設けたスライド凸部２２３とトレイ凸部２２６は、図４に示す先端規制ユニット２１２を鎖線で示す位置まで移動させたときに、回転トレイユニット２２２から抜け落ちるのを防止するのに設けた抜け止め手段の一例である。なお、第１実施形態のシート積載装置１６０にも、不図示のスライド凸部とトレイ凸部とを設けてあり、図３（ａ）に示す先端規制ユニット１５２を破線で示す位置まで移動させたとき、回転トレイユニット１２２から抜け落ちないようになっている。
【００９３】
図１０（ａ）に示すように、回転トレイユニット１２２，２２２で積載トレイ１０１，２０１の開口部１０１ａ，２０１ａを塞いだ状態で、先端規制ユニット１５２，２１２（図３、図４参照）を排紙口３１に最も近付けてストッパ１５４，２１３を起立させると、例えば、Ａ５横サイズシート等の小サイズシートＰ４を整合して整列良く積載可能になる。このとき、ガイド２４，２５によって、小サイズシートＰ４の幅を整合する。
【００９４】
また、図１０（ｂ）に示すように、回転トレイユニット１２２，２２２で積載トレイ１０１，２０１の開口部１０１ａ，２０１ａを塞いだ状態で、先端規制ユニット１５２，２１２（図３、図４参照）を積載トレイ１０１，２０１の先端に近付けてストッパ１５４，２１３を起立させると、例えば、Ａ４サイズ横送りシートＰ１を整合して整列良く積載可能になる。このとき、ガイド２４，２５によって、小サイズシートＰ１の幅を整合する。
【００９５】
従来、Ａ４縦サイズシート等をシート積載装置に積載する場合、回転トレイユニットを積載トレイから開いて約１８０度回転させて積載トレイを延長したような状態にする必要があった。しかし、第１、第２実施形態のシート積載装置は、先端規制ユニット１５２，２１２のストッパ１５４，２１３を、支軸１０２，１０３，２０２，２０３（図３、図４参照）よりも、さらに、搬送方向の下流側へ移動できるようになっているため、回転トレイユニット１２２，２２２が積載トレイ１０１，２０１の開口部１０１ａ，２０１ａ（図２乃至図４参照）を塞いだ状態で、例えば、一般的に使用頻度の高いＡ４縦サイズシート等を積載することができる。その状態を図１１に示す。
【００９６】
図１１（ａ）に示すように、回転トレイユニット１２２，２２２で積載トレイ１０１，２０１の開口部１０１ａ，２０１ａ（図３、図４参照）を塞いだ状態で、先端規制ユニット１５２，２１２を積載トレイ１０１，２０１の先端を通り過ぎて排紙口３１から最も遠ざけてストッパ１５４，２１３を起立させると、例えば、Ａ４サイズ縦送りシートＰ２を整合して整列良く積載可能になる。このとき、ガイド２４，２５によって、シートＰ２の幅を整合する。
【００９７】
図１１（ｂ）に示すように、回転トレイユニット１２２，２２２（図２乃至図４参照）で積載トレイ１０１，２０１の開口部１０１ａ，２０１ａを開いた状態で、先端規制ユニット１５２，２１２を排紙口３１から最も遠ざけてストッパ１５６，２１４を起立させると、例えば、Ａ３サイズ縦送りシートＰ３を整合して整列良く積載可能になる。このとき、ガイド２４，２５によって、シートＰ３の幅を整合する。
【００９８】
（第４実施形態のシート積載装置）
図１２は、第４実施形態のシート積載装置の取り扱い説明用の図である。図１２（ａ）は、シート積載装置の回転トレイユニットを積載トレイに収納した状態の図である。図１２（ｂ）は、シート積載装置の回転トレイユニットを積載トレイから延長させた状態の図である。
【００９９】
第４実施形態のシート積載装置４６０も、図１に示す画像読取装置の装置本体に第１実施形態のシート積載装置１６０の代わりに組み込むことができるようになっている。
【０１００】
第４実施形態のシート積載装置４６０は、ストッパを１つだけ備えている点において、第１乃至第３実施形態のシート積載装置１６０，２６０，３６０と構成を異にしている。ストッパ４１３は、図１２において、上下の両方向に起倒自在になっている。
【０１０１】
第４実施形態のシート積載装置４６０は、シート積載手段である例えば積載トレイ４０１と、回転トレイユニット４２２の延長積載手段である例えばフレーム４６３と、ストッパ部材である例えばストッパ４１３とを備えている。
【０１０２】
ストッパ４１３は、回転トレイユニット４２２のフレーム４６３に起倒自在に設けてある。ストッパ４１３は、図１２において、上下両方向に起倒自在になっている。
【０１０３】
図１２（ａ）に示すように、回転トレイユニット４２２が積載トレイ４０１の開口部４０１ｂを塞いでいるとき、積載トレイ４０１のシート積載面４０１ａと、回転トレイユニット４２２のシート積載面４２２ａは、シートを積載しやすくするため、同一面になっている。
【０１０４】
また、回転トレイユニット４２２を、図１２（ａ）に示す状態から支軸４０２，４０３を中心にして、矢印Ｃ方向に起こして、約１８０度回転させ、回転トレイユニット４２２によって、積載トレイ４０１を延長したような状態にしたとき、積載トレイ４０１のシート積載面４０１ａと、回転トレイユニット４２２のシート積載面４２２ｂは、シートを積載しやすくするため、同一面になる。この状態においても、ストッパ４１３を上向きに起立させることができる。ストッパ４１３は、フレーム４６３に形成した案内路４１７に案内されて、矢印Ｅ方向に移動できるようになっている。
【０１０５】
本実施形態のストッパ４１３も、図９（ａ）に示す第３実施形態のシート積載装置３６０のストッパ３１４と同様に、図１２（ａ）で示すように、排紙口３１に接近させて、Ａ５横サイズシートよりも短いシートＰａ（例えば、アメリカンチェック）の下流側端部と上流側端部を整合することができる。
【０１０６】
ストッパ４１３の起立状態を保持する機構は、第２実施形態のシート積載装置２６０における、回転軸２１３ａ，２１３ｂ，２１４ａ，２１４ｂに形成した平面部２１３ｃ，２１３ｃ，２１３ｄ，２１３ｄ，２１４ｃ，２１４ｃ，２１４ｄ，２１４ｄと、この平面部を挟持する平面部２１５ｃ，２１５ｃ，２１６ｃ，２１６ｃと同様な機構になっている。すなわち、ストッパ４１３の基部には、角が円弧状なっている４角柱状の軸１４３ａを両脇に突設してあり、この軸１４３ａを案内路４１７の平面部４１７ａで挟持することによって、ストッパ４１３の起立状態が保持されているとともに、ストッパ４１３の回転が許容されるようになっている。
【０１０７】
第４実施形態のシート積載装置４６０は、ストッパが１つであるので、構造を簡単にすることができる。
【０１０８】
また、第４実施形態のシート積載装置４６０は、第２実施形態のシート積載装置２６０が整合できる最も長さの短いシートよりも、さらに、短いシートの端部を整合することができる。
【０１０９】
【発明の効果】
本発明のシート積載装置は、従来、着脱して使用していたスタッカの代わりにストッパ部材を延長積載手段に組み込んだ構成になっているので、従来必要としていた着脱式スタッカの保管場所を確保する必要がなくなるとともに、紛失のおそれがなくなり、装置の取り扱いが簡単になる。
【０１１０】
本発明のシート積載装置は、延長積載手段をシート積載手段に進入した状態とシート積載手段から延長した状態とにすることができ、かつストッパ部材が延長積載手段に対して移動できるようになっているので、様々な長さのシートを積載させることができる。また、シートの整列性を向上させることもできる。さらに、安価にすることができる。
【０１１１】
本発明のシート取り扱い装置は、シートの整合性に優れた上記シート積載装置を備えているので、シート積載装置に排出されたシートを、オペレータが取り出して再度整合する必要がなくなり、取り扱いが簡単になる。また、着脱式スタッカの保管場所を確保する必要がなくなるとともに、着脱式スタッカの紛失等を防ぐことができて、装置を取り扱いやすくなる。
【図面の簡単な説明】
【図１】第１実施形態のシート積載装置を組み込まれたシート取り扱い装置の一例である画像読取装置の縦断面図である。
【図２】第１実施形態のシート積載装置を組み込まれたシート取り扱い装置の一例である画像読取装置の外観斜視図である。
【図３】第１実施形態のシート積載装置の取り扱い説明用の図である。
（ａ）  回転トレイユニットを積載トレイに収納した状態の図である。
（ｂ）  回転トレイユニットを積載トレイから延長させた状態の図である。
【図４】図４は、第２実施形態のシート積載装置を組み込まれたシート取り扱い装置の一例である画像読取装置の外観斜視図である。
【図５】図４のシート積載装置における回転トレイユニットを積載トレイから延長させた状態の図である。
【図６】図４の回転トレイユニットの分解斜視図である。
【図７】回転トレイユニットのストッパとスライダとの分解斜視図である。
【図８】図７に示す回転トレイユニットのストッパとスライダとを組み立てた斜視図である。
【図９】第３実施形態のシート積載装置の取り扱い説明用の図である。
（ａ）  回転トレイユニットを積載トレイに収納した状態で下流側のストッパを起こした図である。
（ｂ）  回転トレイユニットを積載トレイに収納した状態で双方のストッパを起こした図である。
【図１０】第１実施形態と第２実施形態のシート積載装置のシート整合動作説明用の図である。
（ａ）  Ａ５横サイズのシートを整合した状態の図である。
（ｂ）  Ａ４横サイズのシートを整合した状態の図である。
【図１１】第１実施形態と第２実施形態のシート積載装置のシート整合動作説明用の図である。
（ａ）  Ａ４縦サイズのシートを整合した状態の図である。
（ｂ）  Ａ３縦サイズのシートを整合した状態の図である。
【図１２】第４実施形態のシート積載装置の取り扱い説明用の図である。
（ａ）  回転トレイユニットを積載トレイに収納した状態の図である。
（ｂ）  回転トレイユニットを積載トレイから延長させた状態の図である。
【図１３】従来例のシート積載装置が組み込まれた画像読取装置の外観斜視図である。
【図１４】図１３に示す画像読取装置において、回転トレイユニットを積載トレイから延長した状態の外観斜視図である。
【符号の説明】
Ｐ      シート
Ｌ      回転軸の平面部同士の距離
Ｌ１    スライドの平面部同士の距離
Ｄ      軸径
Ｐａ    短いシート
Ｐ１    小サイズシート
Ｐ２    Ａ４サイズ縦送りシート
Ｐ３    Ａ３サイズ縦送りシート
Ｐ４    小サイズシート
Ｌ２      ストッパ同士の間隔
１６      読取部（シート取り扱い手段）
１８      装置本体
１０１      積載トレイ（シート積載手段）
１０１ｂ    シート積載面
１２２      回転トイレユニット
１３０      画像読取装置
１５２      先端規制ユニット
１５３      先端規制ユニット
１５４      ストッパ（第１ストッパ部材）
１５５      スライド部材（移動部材）
１５６      ストッパ（第２ストッパ部材）
１５７      スライド部材
１６０      第１実施形態のシート積載装置
１６１      ガイド溝（第１案内路）
１６２      ガイド溝（第２案内路）
１６３      フレーム（延長積載手段）
１６３ａ    シート積載面
１６３ｂ    シート積載面
１６３ｃ    開口部
１６３ｄ    終端開口部
２０１      積載トレイ（シート積載手段）
２０１ａ    開口部
２０１ｂ    シート積載面
２１２      先端規制ユニット
２１３      ストッパ（第１ストッパ部材）
２１４      ストッパ（第２ストッパ部材）
２１５      スライダ（移動部材）
２１６      スライダ（移動部材）
２２２      回転トイレユニット
２２３      スライド凸部（抜け止め手段）
２２６      トレイ凸部（抜け止め手段）
２３０      画像読取装置
２６０      第２実施形態のシート積載装置
２６３      フレーム（延長積載手段）
２６３ａ    シート積載面
２６３ｂ    シート積載面
２６３ｃ    開口部
２６３ｄ    終端開口部
２６３ｅ    開口部
２７１      案内路（共通案内路）
３０１      積載トレイ（シート積載手段）
３０１ａ    シート積載面
３１２      先端規制ユニット
３１３      ストッパ（第１ストッパ部材）
３１４      ストッパ（第２ストッパ部材）
３２２      回転トレイユニット
３２２ａ    シート積載面
３２２ｂ    シート積載面
３６０      シート積載装置
３６３      フレーム（延長積載手段）
３７１      案内路（共通案内路）
４０１      積載トレイ（シート積載手段）
４０１ａ    シート積載面
４０１ｂ    開口部
４１３      ストッパ（ストッパ部材）
４１７      案内路
４６０      シート積載装置
４６３      フレーム（延長積載手段）
【図１】
2004256288.tif 000003
【図２】
2004256288.tif 000004
【図３】
2004256288.tif 000005
【図４】
2004256288.tif 000006
【図５】
2004256288.tif 000007
【図６】
2004256288.tif 000008
【図７】
2004256288.tif 000009
【図８】
2004256288.tif 000010
【図９】
2004256288.tif 000011
【図１０】
2004256288.tif 000012
【図１１】
2004256288.tif 000013
【図１２】
2004256288.tif 000014
【図１３】
2004256288.tif 000015
【図１４】
2004256288.tif 000016